(57)【要約】【課題】本発明は、無線電話回線を利用して異常を直接に携帯電話に通知する盗難防止方法および盗難防止システムを提供することを目的とするものである。【解決手段】本発明は、自動車１内には異常を検出するセンサー２と、センサー２および無線電話通信装置３の動作を制御する通信制御装置４とからなるセキュリィティ部５が設けら、そして無線電話通信装置３は、電話無線回線よりなる通信網６を介して自動車のユーザの携帯電話機７に接続されるシステムによって、盗難による異常をユーザの携帯電話機７に直接に通知する構成とする。【選択図】        図１
2004192104.tif 000002
【特許請求の範囲】
【請求項１】
盗難による異常を感知する感知ステップと、
前記感知ステップの処理で無線電話回線によってユーザの携帯通信電話に異常を通知する通知ステップとを備える
ことを特徴とする盗難防止方法。
【請求項２】
盗難による異常をセンサーによって感知する感知手段と、
前記感知手段によって無線電話通信装置を制御し、電話回線を介してユーザの携帯通信電話に異常を通知する通知手段とを備える
ことを特徴とする盗難防止システム。
【発明の詳細な説明】
【０００１】
【発明の属する技術分野】
本発明は、盗難防止方法および盗難防止システムに関する。詳しくは車両の盗難や不審者による住居侵入を防止する盗難防止方法および盗難防止システムに係るものである。
【０００２】
【従来の技術】
最近では駐車中や車庫内の車両の盗難が頻繁に発生するようになり、車両の盗難を防止することが社会的に要求されている。
【０００３】
そこで車両の盗難を感知して所有者に知らせるものとして図５に示すような車両盗難防止システムがある（例えば、特許文献１参照。）。この盗難防止システムは、自動車１０１のユーザは、センタ装置１０２に、セキュリティモード１０３のオンまたはオフを予め登録しておく。
【０００４】
そしてセンサ１０４より異常が検出されたとき、車載制御装置１０５によって車載通信装置１０６を制御し、通信網１０７を介してセンタ通信装置１０８に異常が通報される。セキュリティモードがオンのとき、センタ制御装置１１０は通信網１０７を介して自動車１０１のユーザの携帯電話機１１１に異常を通知する。
【０００５】
【特許文献１】
特開２００２−１６０６０５号公報（第２図参照。）
【０００６】
【発明が解決しようとする課題】
しかしながら前記の盗難防止システムでは、自動車に搭載される車載通信装置とユーザの携帯電話機との間にセンタ装置が介在される。このセンタ装置に、自分自身を登録しておき、予めＩＤとパスワードの割り当てを受けておき、この割り当てに対応して、所定のサービス料をユーザに対して課金するシステムである。
従ってセンタ装置を設けた基地局が新たに必要となり、かつセンタ装置に登録しなければユーザの携帯電話に通知されないこととなり、ユーザはその使用に制約を受けることとなる。
【０００７】
また、車載通信装置からセンタ装置への通信は電話通信網を介しての通知となり、かつセンタ装置からユーザの携帯電話への通信も電話通信網を介しての通知となることから一連の通知の間に２回電話回線を使用することとなり、システムに無駄を生じることとなる問題がある。
【０００８】
一方家屋における不審者の侵入を感知する防犯システムの殆どは、屋内での異常をセンサによって感知し、電話回線を通して警備会社などに通知されるものであり、従って警備会社などとの契約による防犯システムとなり経済的負担を強いられる問題がある。
【０００９】
本発明は、以上の点に鑑みて創案されたものであって、無線電話回線を利用して異常を直接に携帯電話に通知する盗難防止方法および盗難防止システムを提供することを目的とするものである。
【００１０】
【課題を解決するための手段】
上記の目的を達成するために、本発明に係る盗難防止方法は、盗難による異常を感知する感知ステップと、前記感知ステップの処理で無線電話回線によってユーザの携帯通信電話に異常を通知する通知ステップとを備える。
【００１１】
ここで、感知ステップとは車両のドアを開いたり、又は屋内への侵入を行った場合にセンサーが異常を感知するものである。又通知ステップとは、この異常に基づいて車両又は室内に設けられる無線電話通信装置によってユーザの携帯通信電話に異常を通知するものであり、携帯通信電話によって異常の通知を受けることによって現場に急行する、あるいは警察に知らせるなどの行動が可能となる。
【００１２】
また、上記の目的を達成するために、本発明に係る盗難防止システムは、盗難による異常をセンサーによって感知する感知手段と、前記感知手段によって無線電話通信装置を制御し、電話回線を介してユーザの携帯通信電話に異常を通知する通知手段とを備える。
【００１３】
ここで、感知手段とは車両のドアを開いたり、又は屋内への侵入を行った場合にセンサーが異常を感知し、通信制御装置がこの異常信号に基づいて無線電話通信装置から無線電話回線を介してユーザの携帯電話に異常を通知するものであり、携帯通信電話によって異常の通知を受けたユーザは現場に急行する、あるいは警察に知らせるなどの行動が可能となる。
【００１４】
【発明の実施の形態】
以下、本発明の実施の形態を図面を参酌しながら説明し、本発明の理解に供する。
【００１５】
図１に本発明に係る盗難防止システムの一例を示すためのブロック図である。ここで例えば自動車１内には異常を検出するセンサー２と、センサー２および無線電話通信装置３の動作を制御する通信制御装置４とからなるセキュリィティ部５が設けられている。
【００１６】
そして無線電話通信装置３は、電話無線回線よりなる通信網６を介して自動車のユーザの携帯電話機７に接続されている。
【００１７】
図２は自動車１に搭載されるセキュリティ部５の詳細の一例を示すものであり、センサー２として、自動車１のドア２ａ、ウインドウ２ｂ、バッテリ２ｃ、タイヤ２ｄおよび車体２ｅのそれぞれ設けられており、ドア２ａが開放されたとき、ウインドウ２ｂが開放されたとき、バッテリィ２ｃの供給電流が所定値以上に増加したとき、タイヤ２ｄが回転したとき、又は車体２ｅが傾斜したことなどを検出し、その検出結果を入出力装置８に出力する。
【００１８】
ここで、入出力装置８は自動車１のドア２ａ、ウインドウ２ｂ、バッテリ２ｃ、タイヤ２ｄおよび車体２ｅの各センサー２から、異常の検出信号が入力されると、対応する信号を通信制御装置４に出力する。
【００１９】
この通信制御装置４は、マイクロコンピュターなどによって構成され、センサーの入出力装置８および無線電話通信装置３のＯＮ・ＯＦＦ制御を行うものである。
【００２０】
そこで無線電話通信装置３には予め自動車のユーザの携帯電話機の電話番号が入力され、通信制御装置４により無線電話通信装置３のＯＮ制御を行うことにより通信網６を介して自動車のユーザの携帯電話機７に異常を通知させる構成とするものである。
【００２１】
ここで、無線電話通信装置３は必ずしもユーザの携帯電話機のみに発信する構成とする必要性は無く、ユーザ以外の複数の人に異常を通知するために、複数の電話番号を入力記憶することができ、かつ同時に複数の電話機に発信できる構成とすることが望ましい。
【００２２】
また、携帯電話機７は例えば図３に示すように、テンキーや切替えボタンなどから構成される入力部９、マイクロコンピューターによる制御部１０、通信部１１、液晶画面による表示部１２、スピーカ部１３およびマイクロホン部１４より構成されている。
【００２３】
従って無線電話通信装置から通信網を介して携帯電話機７に信号が受信されることにより制御部１０が作動し、スピーカ部１３より呼出音が発せられる。あるいは表示部１２に文字などによって異常が表示される。又は音声によって異常を通知するなどの通知手段を備えるものである。
【００２４】
以上の構成より成る本発明では図４に示すように、乗車中は自動車の各部に配置されるセンサーは通信制御装置によってＯＦＦの状態とされる。そして自動車を駐車させる場合に、最初にステップＳ１において、無線電話通信装置にユーザの携帯電話機の電話番号や他の者に異常を通知しようとする携帯電話機などの電話番号の登録を行う。
【００２５】
次にステップＳ２において、ユーザは自動車のドアを閉めてキーによる施錠を行った後に、例えば携帯電話機からの送信アクセスによって無線電話通信装置から通信制御装置を作動させてセンサーをＯＮの状態とする。
【００２６】
そこでステップＳ３において、盗難による行為によって自動車に設置されたセンサが異常を検知した場合に、入出力装置より検知信号が通信制御装置に入力され、この通信制御装置によって無線電話装置よりユーザの携帯電話機へ通信網を介して異常を通知する。
【００２７】
自動車のユーザは異常を確認した時点で現場に急行する、あるいは警察や自動車の近くにいる者に対して異常を通知して現場に急行させる。
【００２８】
また、ステップＳ４においては、駐車中の自動車に戻り自動車内に入る場合にはユーザの携帯電話機より無線電話装置に通信網を介して通信制御装置にセンサの作動を解除する信号を入力し、センサの作動を解除する。
【００２９】
なお本発明の実施例では自動車の盗難防止システムについて上述したが、住居における不審者による侵入を検知するシステムとして活用することができ、この場合には家屋のドアや窓などの侵入経路にセンサを配置し、屋内に設置した通信制御装置および無線電話装置によって、屋内への不審者の侵入をセンサが感知し、この異常信号を通信制御装置によって無線電話装置から通信網を介して住居者の携帯電話機へ異常が通知されることとなる。
【００３０】
【発明の効果】
以上述べて来た如く本発明によれば、従来のように中継局を介さずに、無線電話回線網を通して直接にユーザの携帯電話に異常を通知することができることから、会員登録などの手間が省けると共に、容易に車両や住居に盗難防止システムを設置することが可能となる。
【図面の簡単な説明】
【図１】本発明に係る盗難防止システムの一例を示すためのブロック説明図である。
【図２】本発明に係る自動車に搭載されるセキュリティ部の詳細の一例を示す説明図である。
【図３】本発明の係る携帯電話機の一例を示すためのブロック説明図である。
【図４】本発明に係る盗難防止における異常検出処理を説明するフローチャートである。
【図５】従来の盗難防止システムの一例を示す説明図である。
【符号の説明】
１      自動車
２      センサー
３      無線電話通信装置
４      通信制御装置
５      セキュリィティ部
６      通信網
７      携帯電話機
８      入出力装置
９      入力部
１０    制御部
１１    通信部
１２    表示部
１３    スピーカ部
１４    マイクロホン部
【図１】
2004192104.tif 000003
【図２】
2004192104.tif 000004
【図３】
2004192104.tif 000005
【図４】
2004192104.tif 000006
【図５】
2004192104.tif 000007